(57)【要約】      （修正有）【課題】パチンコ、スマートボール等のピンボール遊技機の玉案内通路等の曲線状に屈曲したり、段差があったりする狭い通路等を容易に清掃することができる遊技場の機械台の掃除道具を提供する。【解決手段】後端側が堅牢なシェル部１０で、前端側が弾性変形可能な弾性部１１で、細長い内部通路を有する外筒部３と、後端側が堅牢な棒材部４で、前端側が可撓性の線材部５で、前記外筒部の内部通路に往復運動可能に挿通された清掃材可動手段２と、前記清掃材可動手段の前端側の先端部に清掃材８、及び当該清掃材の前後に固定された小塊状のガイド部材７ａ，７ｂとを備える。又、前記棒材部は、清掃材可動手段を外筒部に最も深く押し込んだ時にその先端が外筒部のシェル部の前端近傍に到達する長さを有し、前記線材部は、清掃材可動手段を外筒部の内部通路内で往復運動させる時にその先端が外筒部の前端開口部から突出した状態で前進及び後退する長さとして、遊技場の機械台の掃除道具を構成する。【選択図】図１
0003163908.tif 000002
【実用新案登録請求の範囲】
【請求項１】
後端側が堅牢なシェル部からなり、前端側が弾性変形可能な弾性部からなり、細長い内部通路を有する外筒部と、
後端側が堅牢な棒材部からなり、前端側が可撓性の線材部からなり、前記外筒部の内部通路に往復運動可能に挿通された清掃材可動手段と、
前記清掃材可動手段の前端側の先端部に、清掃材及び当該清掃材の前後に固定された小塊状のガイド部材とを備え、
前記清掃材可動手段の棒材部は、清掃材可動手段を外筒部に最も深く押し込んだ時に、当該棒材部の先端が、外筒部のシェル部の前端近傍に到達する長さを有し、
前記清掃材可動手段の線材部は、当該清掃材可動手段を外筒部の内部通路内で往復運動させる時に、前記線材部の先端部が外筒部の前端開口部から突出した状態で前進及び後退する長さを有することを特徴とする、遊技場の機械台の掃除道具。
【請求項２】
前記清掃材が、直径１０〜１４ｍｍ、軸方向の長さ５〜１５ｍｍのリング状ブラシである、請求項１に記載の遊技場の機械台の掃除道具。
【請求項３】
前記小塊状のガイド部材の形状が、球状、扁球状、多面体状、円錐状、円柱状、及びこれらの形状の表面に凹凸を有する形状よりなる群から選ばれるものであり、
当該ガイド部材の外接球の直径が６〜１０ｍｍであり、
当該ガイド部材は、前記清掃材の前後に一つずつ固定される、請求項１又は２に記載の遊技場の機械台の掃除道具。
【請求項４】
前記ガイド部材が、直径８〜１０ｍｍの球状ガイド部材である、請求項３に記載の遊技場の機械台の掃除道具。
【請求項５】
前記ガイド部材と、前記清掃材とが、０．３〜１．６ｍｍの間隔で配置されている、請求項１乃至４のいずれか一項に記載の遊技場の機械台の掃除道具。
【請求項６】
前記清掃材可動手段を最も後退させた時に、外筒部の弾性部の前端開口部と清掃材の後側に固定されたガイド部材との間隔が０〜１０ｍｍである、請求項１乃至５のいずれか一項に記載の遊技場の機械台の掃除道具。
【請求項７】
前記外筒部の弾性部の長さが５０〜８０ｍｍであり、前記清掃材可動手段を前記外筒部に最も深く押し込んだ時に、当該外筒部の弾性部の前端開口部から突出する線材部の長さが、前記外筒部の弾性部の長さの１．８〜３．０倍である、請求項１乃至６のいずれか一項に記載の遊技場の機械台の掃除道具。
【請求項８】
前記清掃材可動手段を前記外筒部に最も深く押し込んだ時に、当該外筒部の弾性部の前端開口部から突出する線材部の長さが、１１０〜１３０ｍｍであり、
前記外筒部のシェル部の長さが１５０〜１７０ｍｍ、前記清掃材可動手段の棒材部の長さが１３０〜１９０ｍｍ、前記清掃材可動手段の線材部の長さが１７０〜２２０ｍｍである、請求項７に記載の遊技場の機械台の掃除道具。
【請求項９】
前記清掃材可動手段の棒材部の長さが、前記外筒部のシェル部の長さの８０〜１２０％である、請求項１乃至８のいずれか一項に記載の遊技場の機械台の掃除道具。
【請求項１０】
前記清掃材可動手段の線材部が、直径１．５〜２．５ｍｍであり、少なくとも９０度の屈曲に耐え得る耐屈曲性を有するものである、請求項１乃至９のいずれか一項に記載の遊技場の機械台の掃除道具。
【請求項１１】
前記清掃材可動手段の線材部が、ワイヤーからなる請求項１乃至１０のいずれか一項に記載の遊技場の機械台の掃除道具。
【請求項１２】
前記清掃材可動手段が、前記清掃材可動手段の棒材部の後端に、外筒部のシェル部の内部通路径よりも太いエンドグリップを備える、請求項１乃至１１のいずれか一項に記載の遊技場の機械台の掃除道具。
【請求項１３】
前記外筒部のシェル部の後端と、前記エンドグリップの前端とが、前記清掃材可動手段の押し込み可能な距離を規定する自由長を有するバネによって連結され、前記清掃材可動手段の棒材部が前記バネに挿通されている、請求項１２に記載の遊技場の機械台の掃除道具。
【請求項１４】
前記清掃材の後側に固定されたガイド部材の後側に、ストッパーを備え、前記外筒部の弾性部の内部通路径が、前記ストッパーの直径よりも小さいことを特徴とする、請求項１乃至１３のいずれか一項に記載の遊技場の機械台の掃除道具。
【考案の詳細な説明】
【技術分野】
【０００１】
本考案は、遊技場の機械台の掃除道具に関し、特に、パチンコ、スマートボール等のピンボール遊技機の玉案内通路を容易に清掃することができる遊技場の機械台の掃除道具に関するものである。
【背景技術】
【０００２】
パチンコ、スマートボール等のピンボール遊技機を使用する際、玉案内通路に埃や髪の毛等のゴミが溜まり、更にそれらのゴミが玉によって押されることで、玉の発射口にゴミが溜まり、玉が発射しないという不具合がしばしば起こる。したがって、ピンボール遊技機の玉案内通路を適宜掃除する必要がある。従来は、ピンボール遊技機の玉案内通路の清掃を、綿棒等の細い直線棒状の掃除道具やエアー噴射等によって行っていた。
【０００３】
また、特許文献１には、軸筒が直線棒状のものでは清掃が困難な、パチンコ遊技機内部の曲がりくねった管状の部品の内部やトンネル状の打球案内レール等の隠れた部位であっても容易に清掃することができる、軸筒の一部分が弾性変形可能に成型された携帯清掃材係止具が開示されている。
【先行技術文献】
【特許文献】
【０００４】
【特許文献１】特開２０１０−７５６３７号公報
【考案の概要】
【考案が解決しようとする課題】
【０００５】
しかしながら、特許文献１に開示されている携帯清掃材係止具は、筆記具とほぼ同じサイズのペン型であるため、掃除をする溝や通路等が屈曲し且つ長い場合は奥まで届かず、塵埃を十分に除去することができない。また、前記携帯清掃材係止具の軸筒の弾性変形可能部分は、先端の突起部とほぼ同じ直径を有するので、９０度よりも大きい角度に曲がった通路や極めて複雑に曲がりくねった通路に対しては柔軟に追従できず、途中でつかえてしまう。
【０００６】
その他の従来の清掃方法では、直線状の玉案内通路には対応できるものの、曲線状の玉案内通路では、屈曲部より奥に掃除道具が届かず、奥の部分のゴミをエアー噴射によって清掃しても完全にゴミを除去することはできない。
【０００７】
本考案は、上記の問題を解決するために、パチンコ、スマートボール等のピンボール遊技機の玉案内通路等において、９０度よりも大きい角度に屈曲したり、段差があったりする狭い通路等を容易に清掃することができる遊技場の機械台の掃除道具を提供することを目的とする。
【課題を解決するための手段】
【０００８】
本考案に係る遊技場の機械台の掃除道具は、
後端側が堅牢なシェル部からなり、前端側が弾性変形可能な弾性部からなり、細長い内部通路を有する外筒部と、
後端側が堅牢な棒材部からなり、前端側が可撓性の線材部からなり、前記外筒部の内部通路に往復運動可能に挿通された清掃材可動手段と、
前記清掃材可動手段の前端側の先端部に、清掃材及び当該清掃材の前後に固定された小塊状のガイド部材とを備え、
前記清掃材可動手段の棒材部は、清掃材可動手段を外筒部に最も深く押し込んだ時に、当該棒材部の先端が、外筒部のシェル部の前端近傍に到達する長さを有し、
前記清掃材可動手段の線材部は、当該清掃材可動手段を外筒部の内部通路内で往復運動させる時に、前記線材部の先端部が外筒部の前端開口部から突出した状態で前進及び後退する長さを有することを特徴とする。
【考案の効果】
【０００９】
本考案によれば、ピンボール遊技機の玉案内通路等において９０度よりも大きい角度に屈曲したり、段差があったりする狭い通路等を、容易に清掃することができる。
【図面の簡単な説明】
【００１０】
【図１】本考案に係る遊技場の機械台の掃除道具の一例を概略的に示す側面図である。
【図２】図１に示す遊技場の機械台の掃除道具の線材部の先端部を拡大して概略的に示す側面図である。
【図３】清掃材として用いることができるブラシの具体例を説明する図である。
【図４】線材部または弾性部の屈曲の角度を説明する図である。
【図５】前方から見たパチンコ遊技機の全景の写真である。
【図６】本考案に類似の遊技場の機械台の掃除道具を用いて、図５に示すパチンコ遊技機の掃除を行う際の様子の写真である。
【図７】本考案に類似の遊技場の機械台の掃除道具を用いて、パチンコ遊技機の上皿部分にある玉案内通路の掃除を行う際の、清掃材可動手段を押し込む前の様子の写真である。
【図８】本考案に類似の遊技場の機械台の掃除道具を用いて、パチンコ遊技機の上皿部分にある玉案内通路の掃除を行う際の、清掃材可動手段を押し込んだ時の様子の写真である。
【図９Ａ】本考案に係る遊技場の機械台の掃除道具の試作品のエンドグリップを最も後退させた時の各部位の寸法を示す側面図である。
【図９Ｂ】本考案に係る遊技場の機械台の掃除道具の試作品のエンドグリップを最も深く押し込んだ時の各部位の寸法を示す側面図である。
【考案を実施するための形態】
【００１１】
以下、図面を参照して、本考案の好適な遊技場の機械台の掃除道具について詳細に説明する。ただし、本考案は以下の実施形態に限定されるものではない。
【００１２】
図１は、本考案に係る遊技場の機械台の掃除道具（以下、単に「掃除道具」と称することがある。）の一例を概略的に示す側面図である。図１に示す掃除道具１は、清掃材可動手段２と、清掃材可動手段２が往復運動可能に挿通された外筒部３とから構成される。前記清掃材可動手段２は、後端側が堅牢な棒材部４からなり、前端側が可撓性の線材部５からなる。前記線材部５は先端部６にガイド部材７ａ、７ｂ及び清掃材８を備え、前記棒材部４は後端にエンドグリップ９を備える。前記外筒部３は、後端側が堅牢なシェル部１０からなり、前端側が弾性変形可能な弾性部１１からなり、清掃可動手段２が挿通可能な細長い内部通路を有する。前記エンドグリップ９と前記シェル部１０との間には、バネ１２が具備される。
図１（ａ）は清掃材可動手段２を最も深く押し込んだ時の状態を示し、図１（ｂ）は清掃材可動手段２を最も後退させた時の状態を示す。
尚、図１において、清掃材可動手段２の一部、バネ１２の一部及びシェル部の内部通路１０ｃは、外筒部３の内部通路に存在していて外から見えないが、点線で示す。
【００１３】
図２は、図１に示す遊技場の機械台の掃除道具の線材部の先端部を拡大して概略的に示す側面図であり、線材部５、ガイド部材７ａ、７ｂ、清掃材８、仕切りストッパー１３ａ、１３ｂ、及びストッパー１４を示す。
【００１４】
先ず、清掃材可動手段２について詳しく説明する。清掃材可動手段２は、後端側の棒材部４と前端側の線材部５からなり、その全長が通常３３０〜３９０ｍｍ程度である。
棒材部４は、清掃材可動手段２の後端側を構成し、堅牢であるため、清掃材可動手段２を外筒部３の内部通路内において、安定して往復運動させることができる。前記棒材部４が堅牢でないと、清掃材可動手段２を外筒部３の内部通路に挿入することが困難である。
前記棒材部４の材質は、堅牢であれば特に限定されないが、例えば、鉄、ＳＵＳ、アルミニウム、真鍮等の金属類、ポリオキシメチレン（ＰＯＭ）、ポリプロピレン（ＰＰ）、ポリエチレンテレフタレート（ＰＥＴ）等の樹脂等、及び木材等が挙げられる。
【００１５】
棒材部４は、清掃材可動手段２を外筒部３に最も深く押し込んだ時に、前記棒材部の先端４ａが、外筒部のシェル部の前端１０ｂ近傍に到達する長さを有する。棒材部４が前記長さよりも長いと、清掃材可動手段２を外筒部３に最も深く押し込んだ時に棒材部４の前端部が、外筒部３のシェル部１０から突出し過ぎた状態になるため、弾性部が屈曲した状態では棒材部４の往復運動の障害になる。また、棒材部４が前記長さよりも短いと、シェル部１０の長さに対して、往復運動の可動領域が小さくなる。
棒材部４の長さは、前記外筒部のシェル部１０の長さの８０〜１２０％であることが好ましく、特に８０〜１００％であることが好ましい。棒材部４の長さは前記範囲内の中でも、１３０〜１９０ｍｍであることが特に好ましい。
また、棒材部４の直径は、外筒部の内部通路の直径よりも小さければ特に限定されない。
【００１６】
線材部５は、清掃材可動手段２の前端側を構成し、可撓性であるため、屈曲した通路に挿入すると、その通路の屈曲形状に合わせて曲がりながら進行することができる。前記線材部５としては、挿入する通路の形状に追従できる可撓性と、軸方向に押し込み圧力を伝達できる軸方向剛性を有する線状材料であれば特に限定されず、例えば、金属製または樹脂製のワイヤー、樹脂またはゴムで被覆した金属製ワイヤー等が挙げられる。
ワイヤーとしては、特に限定されず、１本ワイヤー、複数本編み込みワイヤー、蛇腹状ワイヤー等が挙げられる。
【００１７】
線材部５の長さは、前記清掃材可動手段２を外筒部３の内部通路内で往復運動させる時に、前記線材部の先端が外筒部の前端開口部から突出した状態で前進及び後退する長さである。
また、清掃材可動手段２を外筒部３に最も深く押し込んだ時（図１（ａ））に外筒部３の弾性部の前端開口部１１ａから突出する線材部５の長さ（ｄ１）が、前記弾性部１１の長さ（ｄ２）の１．８〜３．０倍であることが好ましく、特に１．８〜２．５倍であることが好ましい。これにより、特に清掃材可動手段２を機械台の遊技球通路の入口に挿入しやすい。
線材部の長さは、上記条件を満たせば特に限定されないが、全長１７０〜２２０ｍｍであることが好ましく、前記清掃材可動手段２を外筒部３に最も深く押し込んだ時（図１（ａ））に当該外筒部の弾性部の前端開口部１１ａから突出する線材部の長さ（ｄ１）が、１１０〜１３０ｍｍであることが好ましい。
【００１８】
線材部５は、直径１．５〜２．５ｍｍであることが好ましい。直径が前記範囲内にあることにより、前記線材部５は狭い通路を通ることができ、且つ強度及び屈曲性に優れる。
前記線材部５は、少なくとも９０度の屈曲に耐えられるものであることが好ましい。これにより、線材部５が９０度よりも大きい角度に曲がった通路や極めて複雑に曲がりくねった通路を容易に追従することができる。尚、屈曲の角度は、図４に示すθの角度を意味する。
【００１９】
ガイド部材７ａ、７ｂは、線材部５の前端側先端部に備えられ、清掃材８の前後にそれぞれ備えられる。前記ガイド部材７ａは清掃材８の前側に備えられ、線材部５が通路等に侵入するとき及び当該通路内で前進するときに、先端部６を進行方向へ誘導する。前記ガイド部材７ｂは清掃材８の後側に備えられ、線材部５が通路等から脱出するとき及び当該通路内で後退するときに、先端部６を進行方向へ誘導する。従って、本考案の掃除道具１は、清掃材８の前後にガイド部材７ａ、７ｂを備えることにより、９０度よりも大きい角度に屈曲したり、段差があったりする狭い通路等を掃除する際にも、ガイド部材７ａ、７ｂ及び清掃材８からなる先端部６が引っ掛かることがなく、追従性に優れる。
【００２０】
ガイド部材７ａ、７ｂの形状は、小塊状であれば特に限定されないが、例えば、球状、扁球状、多面体状、円錐状、円柱状、及びこれらの形状の表面に凹凸を有する形状等が挙げられる。これらの中でも、角のない形状であることが好ましく、より好ましくは球状及び扁球状であり、さらに好ましくは球状である。
ガイド部材７ａ、７ｂの大きさは、遊技球の大きさ、玉案内通路のサイズによって適宜調節するが、パチンコ遊技機用の場合には、外接球（すなわち、ガイド部材７ａ、７ｂに外接する仮想的な球）の直径が６〜１０ｍｍであることが好ましく、特に９〜１０ｍｍであることが好ましい。
尚、ガイド部材７ａ、７ｂが長軸と短軸を有する形状である場合は、当該ガイド部材７ａ、７ｂの長軸を線材部５の軸方向に合わせることが好ましい。
【００２１】
ガイド部材７ａ、７ｂが球状のガイド部材である場合、当該球状のガイド部材の直径は、８〜１０ｍｍであることが好ましく、特に９〜１０ｍｍであることが好ましい。
【００２２】
ガイド部材７ａ、７ｂの材質としては、特に限定されないが、例えば、ＰＯＭ樹脂、ポリプロピレン（ＰＰ）、ポリエチレンテレフタレート（ＰＥＴ）等の樹脂、アルミニウム、真鍮等の金属等が挙げられ、これらの中でも、好適な硬度と軽さを有する点から、ＰＯＭ樹脂、アルミニウムが好ましい。
【００２３】
尚、ガイド部材７ａと７ｂとは、同じものを用いてもよいし、形状、大きさおよび材質のうち少なくとも１つが異なっているものを用いてもよい。
【００２４】
清掃材８は、線材部５の前端側先端部に備えられ、ガイド部材７ａとガイド部材７ｂとの中間に一つ備えられる。前記線材部５が掃除をする通路等を通過する際に、前記清掃材８が当該通路等の内部にあるゴミを拭き取り回収する。本考案の掃除道具１は、ガイド部材７ａ、７ｂとの中間に備えられる清掃材８が一つのみであることにより、９０度よりも大きい角度に屈曲したり、段差があったりする狭い通路等においても追従性に優れる。
清掃材８は、通路を通過する際に通路壁面のゴミを拭き取り回収することができるものであれば特に限定されず、例えば、ブラシ、繊維束、綿、布等が挙げられ、これらの中でも特にブラシが好ましい。
前記ブラシとしては、特に限定されず、例えば図３に示すような、スクリュー状ブラシ（図３（ａ）、（ｂ））及びリング状ブラシ（図３（ｃ））等が挙げられるが、これらの中でもリング状ブラシが好ましい。
前記ブラシとしては、例えば、配管掃除等に用いられる市販のものを用いることができる。
【００２５】
清掃材８の直径は、ガイド部材７ａ、７ｂの外接球の直径よりも大きく、且つ、１０〜１４ｍｍ、特に１０〜１３ｍｍであることが好ましい。清掃材８の直径とは、線材部５の軸と垂直な断面形状の外接円における直径を意味する。
また、清掃材８は、軸方向の長さが５〜１５ｍｍ、特に５〜１０ｍｍ、さらに７〜１０ｍｍであることが好ましい。
清掃材８は、直径及び軸方向の長さが前記範囲内であれば特に限定されないが、リング状ブラシであることが好ましい。
【００２６】
ガイド部材７ａを線材部５の前端側の最先端に固定する方法は、特に限定されないが、例えば、ガイド部材７ａの貫通穴の穴径に、先端側開口部において部分的に拡径した二段加工を施し、当該貫通穴に埋没するような外径のストッパーを線材部５の最先端に設け、当該ストッパーを前記ガイド部材７ａの貫通穴に埋没させることで、ガイド部材７ａを線材部５の最先端に固定することができる。
清掃材８及びガイド部材７ｂを線材部５に固定する方法は、特に限定されないが、例えば図２に示すように、仕切りストッパー１３ａ、１３ｂ及びストッパー１４を用いて固定する方法等が挙げられる。仕切りストッパー１３ａはガイド部材７ａと清掃材８との間に備えられ、仕切りストッパー１３ｂは清掃材８とガイド部材７ｂとの間に備えられる。仕切りストッパー１３ａ、１３ｂは、ガイド部材７ａ、７ｂが清掃材８に陥没することを防止し、また、清掃材可動手段２の押し込み及び引き抜きをする際に、清掃材８のダメージを防ぐ役割もしている。
また、清掃材８は、特に限定されないが、線材部５に固定された状態で、当該線材部５を軸に回転することができるようにしてもよい。前記清掃材８が前記線材部５を軸に回転することができるためには、特に限定されないが、例えば、前記清掃材８の軸穴を、前記線材部５の直径の１．１〜１．３倍にする。
【００２７】
仕切りストッパー１３ａ、１３ｂは、特に限定されないが、軸方向の長さ（図２に示すｅ）が０．３〜１．６ｍｍであることが好ましく、特に０．３〜１．０ｍｍであることが好ましい。これにより、前記球状のガイド部材７ａ、７ｂと前記清掃材８とを安定して固定することができ、且つ、ガイド部材７ａ、７ｂと清掃材８とが仕切りストッパーの幅の距離で隣接し、互いに近距離に位置して固定されるため、掃除をする通路等において、ガイド部材７ａ、７ｂ及び清掃材８からなる先端部６が追従性に優れ、ゴミ回収能力にも優れる。
また、仕切りストッパー１３ａ、１３ｂはリング状であり、内径の大きさが線材部５の直径以上であり、外径の大きさが前記清掃材８及びガイド部材７ａ、７ｂの直径以下の大きさであれば、内径及び外径の大きさは特に限定されない。
仕切りストッパー１３ａ、１３ｂの材質は、特に限定されず、ＰＯＭ、ポリプロピレン（ＰＰ）、ポリエチレンテレフタレート（ＰＥＴ）等の樹脂等、鉄、ＳＵＳ、アルミニウム、真鍮等の金属類等が挙げられる。
仕切りストッパーとしては、具体的には、例えば市販のワッシャー等を用いることができる。
【００２８】
ストッパー１４は、ガイド部材７ｂの後側に隣接して備えられる。ストッパー１４は清掃材８及びガイド部材７ｂを所定の位置に固定する。ストッパー１４は、特に限定されないが、軸方向の長さが２〜４ｍｍであることが好ましい。これにより清掃材８及びガイド部材７ｂを安定して固定することができる。また、ストッパー１４の直径は、ガイド部材７ｂの直径よりも小さければ特に限定されない。ストッパー１４の直径とは、線材部５の軸と垂直な断面形状の外接円における直径を意味する。
ストッパー１４の材質は、特に限定されず、ＰＯＭ、ポリプロピレン（ＰＰ）、ポリエチレンテレフタレート（ＰＥＴ）等の樹脂等、鉄、ＳＵＳ、アルミニウム、真鍮等の金属類等が挙げられる。
ストッパー１４としては、具体的には、例えば、軸方向の長さが２〜４ｍｍの金属製リングを線材部５に通し、カシメ工具により圧着させた六角カシメ等を用いることができる。
【００２９】
エンドグリップ９は、清掃材可動手段２を往復運動させる際の持ち手部分となる。また、エンドグリップ９はシェル部１０の内部通路１０ｃに入り込まない太さであることが好ましい。これにより、エンドグリップ９は、清掃材可動手段２を外筒部３に押し込む時の止め具にもなるからである。この場合、エンドグリップ９がシェル部の後端１０ｂと接触する時が、清掃材可動手段２を外筒部３に最も深く押し込んだ時である。
また、前記エンドグリップ９は、特に限定されないが、握りやすい形状になっていることが好ましく、例えば、くびれ形状等になっていることが好ましい。
【００３０】
前記エンドグリップ９の材質としては、特に限定されないが、木材、ＰＯＭ、ポリプロピレン（ＰＰ）、ポリエチレンテレフタレート（ＰＥＴ）等の樹脂等、鉄、ＳＵＳ、アルミニウム、真鍮等の金属類等が挙げられ、これらの中でも小ロット生産の際にコスト軽減する点から、特に木材が好ましい。
【００３１】
尚、本考案の掃除道具は、前記エンドグリップ９を備えていることが好ましいが、これに限定されない。前記エンドグリップ９を備えていない場合は、清掃材可動手段２の後端部を手に持てる限界の長さまで押し込む時が、清掃材可動手段２を外筒部３に最も深く押し込んだ時である。
【００３２】
バネ１２は、エンドグリップ９とシェル部１０とを連結するように備えられ、棒材部４が当該バネ１２に挿通されている。前記バネ１２を具備することにより、エンドグリップ９の押し込み及び引き戻しを行う際のエンドグリップ９を引き戻す時に、前記バネ１２が縮んだ状態から元の状態に戻ろうとする力が働くため、エンドグリップ９の引き戻しを楽に行うことができる。また、バネ１２は、エンドグリップ９とシェル部１０を連結しているので、外筒部３の後端から清掃材可動手段２が脱出することを防止する。
前記バネ１２は、清掃材可動手段２を最も後退させたときに、伸縮していない自由状態となるようにその長さを調節することが好ましい。
【００３３】
前記バネ１２の形状は、中空構造のバネであれば特に限定されないが、例えばコイルバネ等が挙げられる。
前記バネ１２としては、特に限定されず、市販のバネを用いることができ、例えば、鉄、ＳＵＳ、アルミニウム、真鍮等の金属類、エンジニアプラスチック等の樹脂等の材質のバネを用いることができる。
【００３４】
次に、外筒部３について詳しく説明する。外筒部３は、後端側のシェル部１０と前端側の弾性部１１とからなり、特に限定されないが、全長が通常１５０〜３００ｍｍ程度であり、好ましくは１８０〜２５０ｍｍ程度である。
シェル部１０は、細長い内部通路を有する前記外筒部３の後端側を構成する堅牢な部分であり、前記シェル部１０により清掃材可動手段２の棒材部４の可動スペースが確保され、安定して清掃材可動手段２を外筒部３の内部通路内で往復運動させることができる。好ましくはシェル部１０が清掃材可動手段２を外筒部３の内部通路内で往復運動させる際のグリップとして便利な太さとなるように、適切な外径を有する。
前記シェル部１０の構成は、グリップとなる部分があれば特に限定されず、図１のようにグリップ部分のみでもよく、グリップ部分と比較的細いパイプ部分とから構成されていてもよい。
前記シェル部１０の長さは、棒材部４の可動スペースを確保できる長さであれば特に限定されないが、１５０〜１７０ｍｍであることが好ましく、特に１５５〜１６５ｍｍであることが好ましい。
前記シェル部１０の材質としては、前記エンドグリップ９と同じ材質を用いることができる。
【００３５】
弾性部１１は、細長い内部通路を有する前記外筒部３の前端側を構成する弾性変形可能な部分であり、前記線材部５を包囲して保護し、傷つき難くする。また、外筒部３の前端側を、内部通路を確保できる弾性部１１で構成することによって、掃除道具１を使用する際、外筒部が邪魔にならないような角度に、弾性部１１の部分を屈曲させることができ、これによって自由な角度から玉案内通路等に線材部５を挿入することができ、曲がりくねった玉案内通路内に、線材部５の先端に備えられた清掃材８を到達させることができる。尚、弾性変形可能とは、屈曲と、屈曲からの復元が可能であることを意味する。
掃除道具１の使用例として、図６に本考案に類似の掃除道具を用いて、図５に示すパチンコ遊技機の掃除を行う際の様子の写真を示す。
また、図７に、本考案に類似の掃除道具を用いて、パチンコ遊技機の上皿部分にある玉案内通路の掃除を行う際の、清掃材可動手段を押し込む前の様子の写真を示す。図７では、線材部先端の清掃材は玉案内通路の入り口直前まで接近している。
図８には、本考案に類似の掃除道具を用いて、パチンコ遊技機の上皿部分にある玉案内通路の掃除を行う際の、清掃材可動手段を押し込んだ時の様子の写真を示す。図８では、弾性部が屈曲し、線材部先端の清掃材はＵターン状に屈曲した玉案内通路の奥まで前進している。
尚、図６、図７及び図８は、本考案の掃除道具を開発中に試作された本考案に類似の掃除道具を用いた時の写真であるが、本考案に係る掃除道具を用いた場合においても、図６、図７及び図８に示す様子と同様となる。
【００３６】
前記弾性部１１の長さは、５０〜８０ｍｍであることが好ましく、特に６０〜７０ｍｍであることが好ましい。弾性部１１の長さが前記範囲よりも短いと、弾性変形可能な部分が短いため、掃除道具を自由な方向から通路にアクセスすることが困難となる。弾性部１１の長さが前記範囲よりも長いと、弾性部１１から突出する線材部５を通路入口に挿入する際に、弾性部１１が揺れ動いて安定しないため、線材部５を通路入口に挿入し難くなる。
前記弾性部１１の形状としては、弾性変形可能な中空構造であれば特に限定されないが、例えばコイルバネ、高剛性ゴムチューブ等が挙げられる。
前記コイルバネの材質としては、特に限定されないが、例えば、エンジニアプラスチック等の樹脂等が挙げられる。
【００３７】
前記弾性部１１は、１２０度以上の屈曲形状に耐えられることが好ましい。これにより、弾性部１１から突出する線材部５を自由な方向から通路入口に挿入することができる。尚、屈曲の角度とは、図４に示すθの角度を意味する。
【００３８】
弾性部１１の内部通路径は、線材部５の直径よりも大きければ特に限定されず、清掃材８の直径より大きくても良いが、ストッパー１４の直径よりも小さいことが好ましい。弾性部１１の内部通路径がストッパー１４の直径よりも小さい場合、清掃材可動手段２を後退させたときに、ストッパー１４が、弾性部の前端開口部１１ａにおいて、先端部６が弾性部１１の内部通路に入り込まないようにするための止め具となる。この場合、ストッパー１４によって清掃材可動手段の引き込みができなくなる時が、清掃材可動手段２を最も後退させたときとなる。また、ストッパー１４を止め具とすることで、清掃材可動手段２を後退させたときにガイド部材７ｂと弾性部前端開口部１１ａとが接触しないため、ガイド部材７ｂの破損を防ぐことができる。また、弾性部１１の内部通路径が小さいと、当該弾性部１１の外径も小さく、狭い通路内に入ることができるので、通路の奥まで掃除をすることが容易となる。
図１に示した掃除道具１は、弾性部１１の内部通路径がストッパー１４の直径よりも小さく、ストッパー１４が止め具となっており、ストッパー１４が弾性部の前端１１ａと接触するときが、清掃材可動手段２を最も後退させた時である。
尚、本考案の実施形態はこれに限定されず、清掃材可動手段２の可動域の一部（比較的浅い押し込み距離の範囲）において、ガイド部材７ａ、７ｂ及び清掃材８からなる先端部６の一部又は全体が外筒部３の内部通路に入り込んでもよい。
【００３９】
前記清掃材可動手段２は、特に限定されないが、最も後退させた時に、当該清掃材可動手段２の前端側に備えられたガイド部材７ａ、７ｂ及び清掃材８からなる先端部６が、外筒部の弾性部の前端開口部１１ａの直前位置まで後退し、停止することが好ましく、先端部６の後端に位置するガイド部材７ｂと弾性部の前端開口部１１ａとの間隔が０〜１０ｍｍであることが特に好ましい。
清掃材可動手段２が最も後退して停止する時のガイド部材７ｂと弾性部の前端開口部１１ａとの間隔は、例えば上述したように、軸方向の長さが例えば２〜４ｍｍのストッパー１４を用いて先端部６を固定し、当該ストッパー１４を止め具とした場合は、前記ストッパー１４の軸方向の長さとなる。また、先端部６を固定するためのストッパー１４とは別に、ガイド部材７ｂからの距離が１０ｍｍ以下の位置にもう一つストッパーを設け、当該ストッパーを止め具とすることにより、清掃材可動手段２を最も後退させた時に、ガイド部材７ｂと弾性部の前端開口部１１ａとの間隔を１０ｍｍ以下として清掃材可動手段２を停止させることができる。
前記清掃材可動手段２を最も後退させた時に、外筒部の弾性部の前端開口部１１ａから先端部６までの間隔が大きいと、当該先端部６の重みによって線材部５が揺れ動いて安定せず、機械台の遊技球入口に先端部６を挿入する時に、先端部６を挿入し難い場合がある。
【００４０】
なお、本考案の掃除道具は、前記バネ１２を備えていること、及び前記弾性部１１の内部通路径が前記清掃材８の直径より小さいことが好ましいが、これに限定されない。例えば、前記バネ１２を備えておらず、且つ、前記弾性部１１の内部通路径が清掃材８の直径以上である場合は、前記清掃材８が前記弾性部１１の内部に収納される時が、清掃材可動手段２を最も後退させた時である。
【実施例】
【００４１】
以下、本考案に係る遊技場の機械台の掃除道具の試作品の一例について、図９Ａ及び図９Ｂを参照して説明する。
図９Ａ及び図９Ｂは、本考案に係る遊技場の機械台の掃除道具の試作品の一例であるパチンコ遊技機の掃除道具２１を示す図であり、図９Ａは掃除道具２１のエンドグリップを最も後退させた時の各部位の寸法を示す側面図であり、図９Ｂは掃除道具２１のエンドグリップを最も深く押し込んだ時の各部位の寸法を示す側面図である。
掃除道具２１は、シャフト２４、ワイヤー２５、球状ガイド部材２７ａ、２７ｂ、リング状ブラシ２８、エンドグリップ２９、グリップ３０ａ、パイプ３０ｂ、コイルバネ３１、コイルバネ３２、ワッシャー３３ａ、３３ｂ、カシメ３４からなる。
図１に示す掃除道具１及び図２に示す掃除道具１の線材部の先端部を拡大した図と、図９Ａ及び図９Ｂに示す掃除道具２１との対応関係は以下のようである。シャフト２４が棒材部４、ワイヤー２５が線材部５、球状ガイド部材２７ａ、２７ｂがガイド部材７ａ、７ｂ、リング状ブラシ２８が清掃材８、エンドグリップ２９がエンドグリップ９、グリップ３０ａ及びパイプ３０ｂがシェル部１０、コイルバネ３１が弾性部１１、コイルバネ３２がバネ１２、ワッシャー３３ａ、３３ｂが、仕切りストッパー１３ａ、１３ｂ、カシメ３４がストッパー１４である。
【００４２】
シャフト２４はＳＵＳ製であり、長さが１６０ｍｍである。ワイヤー２５はＳＵＳ製の蛇腹状ワイヤーであり、長さが２００ｍｍである。シャフト２４とワイヤー２５とは、六角型カシメによって接続される。
ワイヤー２５の前端側の先端部には、最先端に球状ガイド部材２７ａ、２７ｂ及びリング状ブラシ２８が具備されている。球状ガイド部材２７ａとリング状ブラシ２８とはワッシャー３３ａを介して隣接し、リング状ブラシ２８と球状ガイド部材２７ｂとはワッシャー３３ｂを介して隣接する。さらに球状ガイド２７ｂの後側にはカシメ３４が隣接して備えられる。
球状ガイド部材２７ａ、２７ｂは直径９．５ｍｍのＰＯＭ樹脂製の球体であり、ワイヤー２５を通す貫通穴を有する。
球状ガイド部材２７ａの貫通穴は、その穴径が先端側開口部において部分的に拡径した二段加工が施されていて、ワイヤー２５の最先端に設けたカシメが球状ガイド部材２７ａ内に埋没するようになっているため、球状ガイド部材２７ａはワイヤー２５の最先端に固定されている。
リング状ブラシ２８は、配管掃除用のリング状ブラシで、直径が１２．５ｍｍ、軸方向の長さが７ｍｍであり、軸穴をワイヤー２５に通すことによって備えられる。
ワッシャー３３ａ、３３ｂは、金属製で、外径が７ｍｍ、軸方向の長さが０．５ｍｍであり、軸穴をワイヤー２５に通すことによって備えられる。
カシメ３４は、金属製で、軸方向の長さが３ｍｍのリングをワイヤー２５に通し、カシメ工具によって圧着させることによって備えられる。
球状ガイド部材２７ａの前端側先端からカシメ３４の後端側先端までの距離は３０ｍｍである。
コイルバネ３１はＳＵＳ製で長さが６０ｍｍであり、六角カシメによってパイプ３０ｂに接続される。パイプ３０ｂは金属製で、長さが４５ｍｍであり、グリップ３０ａ内に圧入し、ボンドで接着される。グリップ３０ａは、木製で表面抗菌塗装が施されており、長さが１１５ｍｍである。コイルバネ３２はＳＵＳ製で、グリップ３０ａの内部通路と連結しており、エンドグリップ２９に接続され、可変ストローク９０ｍｍである。コイルバネ３２は、エンドグリップ２９を最も後退させた状態（図９Ａ）で、伸縮しない自由状態となるように設置されている。エンドグリップ２９は、木製で表面抗菌塗装が施されており、軸方向の長さが４８ｍｍである。
掃除道具２１は、エンドグリップ２９を最も深く押し込んだ状態（図９Ｂ）で、コイルバネ３１から突出しているワイヤー２５の長さは、９０ｍｍであり、可変ストローク９０ｍｍである。また、掃除道具２１の全長は３８８ｍｍであり、エンドグリップ２９を最も後退させた時（図９Ａ）とエンドグリップ２９を最も深く押し込んだ時（図９Ｂ）とで等しい。
【符号の説明】
【００４３】
１  遊技場の機械台の掃除道具
２  清掃材可動手段
３  外筒部
４  棒材部
５  線材部
６  先端部
７ａ、７ｂ  ガイド部材
８  清掃材
９  エンドグリップ
９ａ  エンドグリップの前端
１０  シェル部
１０ａ  シェル部の前端
１０ｂ  シェル部の後端
１０ｃ  シェル部の内部通路
１１  弾性部
１１ａ  弾性部の前端開口部
１２  バネ
１３ａ、１３ｂ  仕切りストッパー
１４  ストッパー
２１  遊技場の機械台の掃除道具
２４  シャフト
２５  ワイヤー
２７ａ、２７ｂ  球状ガイド部材
２８  リング状ブラシ
２９  エンドグリップ
３０ａ  グリップ
３０ｂ  パイプ
３１  コイルバネ
３２  コイルバネ
３３ａ、３３ｂ  ワッシャー
３４  カシメ
【図１】
0003163908.tif 000003
【図２】
0003163908.tif 000004
【図３】
0003163908.tif 000005
【図４】
0003163908.tif 000006
【図９Ａ】
0003163908.tif 000007
【図９Ｂ】
0003163908.tif 000008
【図５】
0003163908.tif 000009
【図６】
0003163908.tif 000010
【図７】
0003163908.tif 000011
【図８】
0003163908.tif 000012